(57)【特許請求の範囲】
【請求項１】
差込部分と、該差込部分に連設する幅広部分と、該幅広部分に連設する持ち手部分とから成る金属製鍵と、該金属製鍵に固着手段を介して取外し可能に装着する合成樹脂製収納ケースとから成る携帯型キー装置であって、
前記合成樹脂製収納ケース（１１）は、前記持ち手部分に外嵌合する一側面側ケース及び該一側面側ケースと一体的に結合する他側面ケースとから成り、少なくとも前記一側面側ケース又は他側面ケースのいずれかの内壁面に電子部品（２１）が固定的に設けられ、さらに、前記合成樹脂製収納ケースに包まれる前記持ち手部分（４）の一側縁部（４ｂ）は内側に凹む形状に形成され、一方、反対側の他側縁部（４ｃ）が外側に凸となる弧状に形成され、前記電子部品は、前記一側縁部の凹みの中心部に位置する前記固着手段（１７）よりも外側に位置付けられ、さらに、前記他側面ケースと前記一側面側ケースとを分離した場合には、前記金属製鍵又は前記電子部品を有する合成樹脂製収納ケースは、それぞれ単独で使用することができる携帯型キー装置。
【請求項２】
請求項１に於いて、前記固着手段は、合成樹脂製収納ケースの中心部の水平方向をＸ軸とし、一方、金属製鍵の回転中心軸である垂直方向をＹ軸とするその交点Ｏに位置する一方、前記電子部品は、前記交点Ｏから偏芯する箇所に位置付けられていることを特徴とする携帯型キー装置。
【請求項３】
請求項１に於いて、合成樹脂製収納ケースの中心部には、固着手段を構成する短筒状のメネジ部及び貫通小孔が形成され、一方、鍵の持ち手部分（４）の一側縁部（４ｂ）の内側に凹む弧状の中心部には係止切欠が形成され、該係止切欠は前記固着手段に係止されていることを特徴とする携帯型キー装置。
【発明の詳細な説明】
【技術分野】
【０００１】
本発明は、電波信号（無線方式）で、錠前を施・解錠することができる携帯型キー装置及び携帯型キー装置用の金属製鍵に関する。
【背景技術】
【０００２】
この種の携帯型キー装置として、例えば特許文献１や特許文献２に記載のものがある。ここで、特許文献１を例にして、従来の問題点を指摘する。
【０００３】
特許文献１の課題は、モールド成形により把持部を形成する際、電子部品（トランスポンダ）を保持する保持部材に成形圧（樹脂射出圧）が加えられると、保持部材がキープレートの柄部から外れるおそれがあるため、保持部材をキープレートの柄部に対して強固に固定しておくことである。そこで、特許文献１のキー装置は、「モールド成形にてキープレート１の柄部（持ち手部分）１ａを覆うように形成された把持部５に電子部品２を内包してなるキー装置であって、電子部品２を保持する先細り状保持部材４を受容する受容孔３と、キーホルダ用の連結孔１２とが、互いに連通した状態で、柄部１ａに開設されており、保持部材４は、受容孔３の内周縁部に係合される左右の溝１５を有し、幅広の連結孔１２を介して、前記受容孔３の内周縁部の突設した係止部分に前記溝１５をスライドさせながら、前記受容孔３内に圧入することによって、前記柄部１ａに固定される構造である（符号は特許文献のもの）。」
特許文献１に記載の先細り状保持部材４は、キープレート（鍵）１の柄部１ａの受容孔３内に隙間のないように固定的にセットしなければならない。その理由は、把持部５を形成する際、電子部品（トランスポンダ）を保持する保持部材４に成形圧（樹脂射出圧）を加えるからである。そのために、キープレート（鍵）１の柄部１ａ及び保持部材４の両者が強固に合体するように、柄部１ａに形成した受容孔３と連結孔１２とを連通する連通口１３が、保持部材４をしっかりと係止できるように内側の間隔が狭めように加工する必要がある。
【０００４】
付言すると、モールド成形タイプの携帯型キー装置は、鍵自体１に電子部品２装着用の加工（突起、係合穴、係合溝等）を施す必要があった。また、鍵自体１の柄部１ａを全てモールド成形するものであるから、樹脂製把持部５の後端部に金属製のキーホルダ等を容易に引っ掛けることができなかった。
【０００５】
さらに、鍵自体１又は電子部品２を包む樹脂製把持部５を、それぞれ単独で使用することができない、電子部品２そのものを、携帯電話の「チップ」の如く、交換することができないという問題点もあった。
【０００６】
特許文献２も、キープレート（鍵）１の柄部１ａ乃至差込み部分の一部を加工して電子部品（トランスポンダ）部材を加工部位に固定的にセットするものであるから、特許文献１と同様の問題点があった。
【０００７】
そこで、現在、少なくとも、（ａ）鍵自体に電子部品装着用の加工（突起、係合穴、係合溝等）を施す必要がない。（ｂ）電子部品収納ケースを貫いた金属製鍵自体の摘み部分の後端部に、金属製のキーホルダ等を容易に引っ掛けることができる、という課題を解決することができる携帯型キー装置の出現が望まれる。
【先行技術文献】
【特許文献】
【０００８】
【特許文献１】特許第３６２８４３０号公報
【特許文献２】特表２００８−５４５９１３号公報
【発明の概要】
【発明が解決しようとする課題】
【０００９】
本願発明の所期の目的は、金属製鍵の柄部（持ち手部分）を包む合成樹脂製収納ケースの内部に設けた電子部品が、前記持ち手部分の一側縁部の凹みの中心部に位置する固着手段よりも外側に位置付けるようにして、金属製鍵が極力該電子部品の電波障害にならないようにすることである。また、合成樹脂製収納ケースを介して無線方式の電子部品を容易に収納させることができると共に、金属製鍵に電子部品装着用の加工（突起、係合穴、係合溝等）を施す必要がないことである。さらに、金属製鍵に対して、いわば着せ替えの如く、色彩・形状等の好みにあった電子部品収納ケースを装着することができること及び鍵又は電子部品収納ケースを、それぞれ単独で使用することができることである。
【００１０】
特に、携帯型キー装置用の金属製鍵については、その持ち手部分が合成樹脂製収納ケースに包まれた場合、持ち手部分の内側に凹む一側縁部が電子部品と干渉しないようにすることができると共に、持ち手部分の反対側の凸となる弧状の他側縁部と前記内側に凹む弧状の一側縁部の間に、ある程度の幅を持たせることにより、該持ち手部分の強度を保持することができることである。
【課題を解決するための手段】
【００１１】
本発明の携帯型キー装置は、差込部分と、該差込部分に連設する幅広部分と、該幅広部分に連設する持ち手部分とから成る金属製鍵と、該金属製鍵に固着手段を介して取外し可能に装着する合成樹脂製収納ケースとから成る携帯型キー装置であって、前記合成樹脂製収納ケース（１１）は、前記持ち手部分に外嵌合する一側面側ケース及び該一側面側ケースと一体的に結合する他側面ケースとから成り、少なくとも前記一側面側ケース又は他側面ケースのいずれかの内壁面に電子部品（２１）が固定的に設けられ、さらに、前記合成樹脂製収納ケースに包まれる前記持ち手部分（４）の一側縁部（４ｂ）は内側に凹む形状に形成され、一方、反対側の他側縁部（４ｃ）が外側に凸となる弧状に形成され、前記電子部品は、前記一側縁部の凹みの中心部に位置する前記固着手段（１７）よりも外側に位置付けられ、さらに、前記他側面ケースと前記一側面側ケースとを分離した場合には、前記金属製鍵又は前記電子部品を有する合成樹脂製収納ケースは、それぞれ単独で使用することができることを特徴とする。
【００１２】
上記構成に於いて、合成樹脂製収納ケースの中心部には、固着手段を構成する短筒状のメネジ部及び貫通小孔が形成され、一方、鍵の持ち手部分（４）の一側縁部（４ｂ）の内側に凹む弧状の中心部には係止切欠が形成され、該係止切欠は前記固着手段に係止されていることが好ましい。
【発明の効果】
【００１３】
（ａ）合成樹脂製収納ケースの内部に装着した電子部品が、金属製鍵の持ち手部分の一側縁部の凹みの中心部に位置する固着手段よりも外側に位置付けられているので、電子部品の電波障害になる部分は、合成樹脂製収納ケースのみとなる。したがって、電子部品の電波障害にならない範囲が拡大する。また、合成樹脂製収納ケースを介して無線方式の電子部品を容易に収納させることができると共に、金属製鍵に電子部品装着用の加工（突起、係合穴、係合溝等）を施す必要が全くない。また、金属製鍵の持ち手部分にある程度の幅を持たせることにより、該持ち手部分の強度を保持することができる。さらに、鍵に対して、いわば着せ替えの如く、色彩・形状等の好みにあった電子部品収納ケースを装着することができると共に、鍵又は電子部品収納ケースを、それぞれ単独で使用することができる。
（ｂ）請求項２に記載の発明は、請求項１の効果を確実に達成することができる。
（ｃ）請求項３に記載の発明は、鍵が電子部品収納ケースから抜けない利点がある。
【図面の簡単な説明】
【００１４】
図１乃至図８は本発明の第１実施形態を示す各説明図。図９は本発明の第２実施形態を示す説明図。図１０及び図１１は本発明の第３実施形態を示す各説明図。図１２は本発明の第４実施形態を示す説明図。図１３乃至図１５は本発明の第５実施形態を示す各説明図。
【図１】第１実施形態の斜視図。
【図２】正面図。
【図３】右側面図。
【図４】図２の４−４線に基づく概略断面説明図。
【図５】図２の５−５線に基づく概略断面説明図。
【図６】金属製鍵の正面図。
【図７】分解斜視図（金属製鍵は仮想線）。
【図８】金属製鍵に一側面側ケースを外嵌合させた、或は一側面側ケースに金属製鍵を内嵌合させた状態の概略説明図。
【図９】第２実施形態（特に、一側面側ケース）の説明図。
【図１０】第３実施形態（特に金属製鍵）の正面図。
【図１１】第３実施形態に於いて、一側面側ケースに金属製鍵を組み込んだ状態の概略説明図。
【図１２】第１実施形態又は第３実施形態に対する異なる実施形態（第４実施形態）の説明図。
【図１３】第５実施形態を示す説明図。
【図１４】図１３の１４−１４線に基づく概略断面説明図。
【図１５】一部（他側面側ケース）破断の概略説明図。
【発明を実施するための最良の形態】
【００１５】
（１）環境部材…無線方式の電子部品
無線方式の電子部品を備えた携帯型キー装置は、例えば建具の扉に取り付けられた電気錠を解錠する際、自動車のドアを解錠する際やイグニッションスイッチ操作用として使用されている。本発明の携帯型キー装置の用途も同様である。
さて、「トランスポンダ」と称される電子部品の一種は、例えばガラス管等にコイルアンテナとコード信号発信回路とを封入した単純な形態となっている。コイルアンテナは、周知の如く、キーシリンダのキー孔を外囲するように設けられたキーシリンダ側コイルとの間で、電波信号の授受を行うものである。
【００１６】
すなわち、キーシリンダ側のコイルから電波が発信され、この電波をトランスポンダのコイルアンテナが受信すると、電磁誘導作用によってコイルアンテナに起電力が生じ、この電力がコード信号発信回路に供給されて、予め記憶されている固有コードに応じた電波信号が、コイルアンテナから発信され、該コイルアンテナから発信された固有コード信号は、キーシリンダ側のコイルで受信され、予め記憶されている暗証コードと比較照合され、互いのコードが一致したならば、正規のキーであると判断して、錠前の解錠やエンジンの作動を可能にする。
【００１７】
（２）特徴部分
本発明の携帯型キー装置Ｘは、例えば図１で示すように、持ち手部分（柄部）４の突起状の後端部４ａに開口（長孔状係止孔）５を有する金属製キープレート（以下、「鍵」という。）１と、無線方式（呼応可能）の電子部品２１と、前記持ち手部分４の前記後端部４ａを除き、少なくとも該持ち手部分４を全体的にカバーする合成樹脂製収納ケース１１との組み合わせから成る。
【００１８】
しかして、前記合成樹脂製収納ケース１１は、ベース体に相当する一側面側ケース１２と、蓋体に相当する他側面側ケース１３との結合から成ると共に、少なくとも前記一側面側ケース１２か又は前記他側面側ケース１３のいずれかの内壁面に形成した窪み状の小凹所１８内、或は囲い枠内に電子部品２１を固定的に装着する。
【００１９】
また前記鍵１は、ブレードと称される差込み部分２と、該差込み部分に連設する幅広部分３と、該幅広部分に連設すると共に前記合成樹脂製収納ケース１１の左右の突壁部分１２ｂ、１２ｂ、１３ｂ、１３ｂから貫通状態に突出する後端部４ａを有する持ち手部分４とから成り、前記後端部４ａには、望ましくは鍵１の幅方向又は長手方向のいずれかに開口（キーホルダ用の長孔状係止孔）５を形成する。
【００２０】
また、また本発明の携帯型キー装置用の金属製鍵１は、例えば図６で示すように、全体として、差込部分２の先端部から持ち手部分４の後端部４ａに至るまで縦長に形成された板状体あり、また図８で示すように、合成樹脂製収納ケース１１に包まれる持ち手部分４の一側縁部４ｂが内側に凹む弧状に形成され、一方、反対側の他側縁部４ｃが外側に凸となる弧状に形成されているから、電子部品２１の位置を避けることができる。付言すると、合成樹脂製収納ケース１１に対する固着手段１７及び電子部品２１の配設する部分が増える一方、金属製鍵１の強度も維持することができる。
【００２１】
なお、本実施形態に於いて、金属製鍵１の持ち手部分の係合孔５を有する後端部４ａは、合成樹脂製収納ケースの切欠状後端面から突出しているが、これは本発明の本質的事項ではない。しかし、図２で示すように、前記後端部４ａは、合成樹脂製収納ケース１１の外周壁を形成する左右の弧状面１３ｂ、１３ｂから外方向に指先状に突出するのが望ましい。
【００２２】
（３）電子部品２１の位置
以下、図面を参照に詳細に説明する。図１は第１実施形態の斜視図である。図２は正面図等である。例えば図２の正面図には、合成樹脂製収納ケース１１の右側に電子部品２１が内装されているが、本実施形態の電子部品２１は、合成樹脂製収納ケース１１の中心部の水平方向をＸ軸とし、一方、鍵１の回転中心軸である垂直方向をＹ軸とするその交点「Ｏ」から偏芯する窪み１８の箇所に位置付けられている。
【００２３】
付言すると、図４は図２の４−４線に基づく概略断面説明図、図８は鍵１に一側面側ケース１２を外嵌合させた、或は一側面側ケース１２に鍵１を内嵌合させた状態の概略説明図であるが、これらの図から明らかなように、合成樹脂製収納ケース１１に内装された電子部品２１は、例えば多角形、円形状等の一側面側ケース１２の内壁面に形成された円形、矩形状等の窪み（小凹所）１８内であって、その外嵌形状が全体としてペーパーナイフ形状に形成された鍵１の持ち手部分４の内側弧状面４ｂに対して外側に位置するように設けられている。
【００２４】
（４）鍵１
携帯型キー装置Ｘを構成する鍵１は、例えば図６で示すように、普通一般に日常的に使用されている建具用鍵や自動車用鍵と略（おおよそ）同一の大きさである。ただ、本発明の携帯型キー装置Ｘの鍵１が普通一般の建具用鍵等と異なる点は、鍵１の形状が、前述したように、正面視、その外嵌形状が全体として紙を切断することができるペーパーナイフ形状に形成され、その後端部４ａを除く持ち手部分４は、内側が腹を凹ませた如く内側弧状面４ｂとなって湾曲しており、一方、内側弧状面４ｂとは反対側の外側が弓状に突出する外側弧状面４ｃとなっている点である。
【００２５】
このように鍵１は、長板状の差込部分２と、該差込部分に括れ箇所を境として連設する幅広部分３と、該幅広部分に連設すると共に、その曲率がやや緩やかな内側弧状面４ｂ及び曲率が内側弧状面４ｂよりも大きい外側弧状面４ｃを有し、かつ合成樹脂製収納ケース１１に包まれる持ち手部分４と、該持ち手部分４の前記合成樹脂製収納ケース１１の切欠部分から突出する持ち手部分４の後端部４ａとから成り、前記後端部４ａには、鍵１の長手方向にキーホルダ用の長孔状係止孔５が形成されている。
【００２６】
なお、差込部分２は、特に図示しないが、その平面部に有底で複数種類の大きさと深さを有する摺り鉢形の窪み有し、或は平面部の側端部にギザギザ刻みを有する。また幅広部分３は、差込部分２の根元部分に相当する左右の括れ部６、６から幅広部分３が始まり、該幅広部分３に内外の弧状面４ｂ、４ｃが連設するその余の部分が持ち手部分（柄部）４に相当する。
【００２７】
ところで、幅広部分３の先端部側（括れ部６側）は、図示しない錠前のシリンダに差込部分２を差し込むと、シリンダの前面と当接する。また持ち手部分４の外形形状は、他の実施形態で示すように任意に形成することができる。
【００２８】
（５）合成樹脂製収納ケース１１
合成樹脂製収納ケース１１は、例えば図７で示すように、一側面側ケース１２と他側面側ケース１３との結合から成ると共に、その窪み１８に電子部品２１を固定的に内装する。
【００２９】
図１では、合成樹脂製収納ケース１１の偏芯位置に電子部品２１を仮想線で示してある。また図４は、図２の４−４線に基づく概略断面説明図である。これらの図から明らかなように、本実施形態の合成樹脂製収納ケース１１は、例えば図示しないオス・メス係合手段、或いはオネジを含む固着手段１７を介して鍵１の差込み部分２以外の被装着部位（幅広部分３の連設部位及び持ち手部分４）に取り外し可能に取り付けられている。
【００３０】
すなわち、合成樹脂製収納ケース１１は、例えば図８で示すように、持ち手部分４のキーホルダ用の係合孔５を有する後端部４ｂを残して、少なくとも該持ち手部分４に外嵌合する一側面側ケース１２と、同様に前記後端部４ｂを残して該一側面側ケース１２と一体的に結合する他側面ケース１３とから成り、少なくとも前記一側面側ケース１２又は他側面ケース１３のいずれかの内壁面に窪み状の小凹所１８が形成されている。
【００３１】
そして、例えば小凹所１８に電子部品２１を有する一側面側ケース１２と他側面ケース１３を結合する前に、前記一側面側ケース１２又は他側面ケース１３のいずれかに、鍵１の後端部４ａを除く持ち手部分４が組み込まれる。
【００３２】
本実施形態では、例えば図７で示すように、扁平枠状かつ円形状の一側面側ケース１２は、幅広平坦壁１２ａの幅広内壁面の縁部の左右部位に、対称的な弧状突壁部分１２ｂ、１２ｂをそれぞれ有するが、前記左右の突壁部分１２ｂ、１２ｂの各対向端部の間は、前述した被装着部位以外の鍵１の幅広部分の一部及び持ち手部分４の後端部を突出させるための上下の切欠１４、１４が形成されている。鍵１は、前記切欠１４、１４が存在する弧状突壁部分１２ｂ、１２ｂの各端部（切欠１４の縁部）に滑動しないようにそれぞれ係止される。
【００３３】
ところで、前述したオス・メス係合手段は、例えば一側面側ケース１２の弧状の突壁部分１２ｂの全部或は縁部にオス又はメスのいずれかの係合部分を形成し、これに対応するメス又はオスの係合部分を他側面ケース１３の左右の弧状突壁部１３ｂ、１３ｂの縁部等に形成する。
【００３４】
また前述した固着手段１７は、図７で示すように、例えば一側面側ケース１２の幅広平坦壁１２ａの幅広内壁面の偏芯位置に突設した短筒状のメネジ部（メネジ柱）１５と、該メネジ部に対向するように他側面ケース１３の幅広平坦壁１３ａの偏芯位置に形成された貫通小孔１６と、この貫通小孔１６及び前記メネジ部１５を介して一側面側ケース１２と他側面側ケース１３を一体的に結合する不番のオネジとから成る。
【００３５】
したがって、実施形態の合成樹脂製収納ケース１１は、一側面側ケース１２と他側面側ケース１３に分離可能であり、該合成樹脂製収納ケース１１が分離した際には、鍵自体を普通の機械式鍵として単独に使用可能である。
【実施例】
【００３６】
次に、この欄では、図９乃至図１５を参照にして、第１実施形態と同様の効果を有する本発明の第２実施形態、第３実施形態、第４実施形態及び第５を実施形態説明する。なお、これらの実施形態に於いて、前記第１実施形態又は第２実施形態と同一の部分には、同一又は同様の符号を付し、重複する説明を省略する。
【００３７】
まず、図９に示す第２実施形態に於いて、前記第１実施形態と主に異なる事項は、合成樹脂製収納ケース１１Ａの一側面側ケース１２Ａ又は／及び他側面側ケース１３Ａに形成された窪み１８である。第１実施形態の窪み１８は、例えば一側面側ケース１２の幅広平坦壁１２ａの偏芯位置に形成された小凹所であるが、この第２実施形態の窪み１８は、例えば一側面側ケース１２Ａの幅広平坦壁１２ａの内壁面に矩形状に突出形成された囲い枠１９である点が相違する。なお、前記窪み１８を形成する囲い枠１９は、多角形のみならず、円形であっても良い。したがって、窪み１８の形状や構成態様は、本発明の本質的事項ではない。
【００３８】
次に、図１０及び図１１に示す第３実施形態に於いて、前記第２実施形態と主に異なる点は、（ａ）鍵１Ａの持ち手部分４Ａの形状を一部変えたこと、（ｂ）固着手段２６Ａを構成する短筒状のメネジ部（メネジ柱）１５及び貫通小孔１６が、合成樹脂製収納ケース１１Ａの中心部に形成したことである。特に、前者（ａ）は、持ち手部分４Ａの内側弧状面４ｂの略中央部に、一側面側ケース１２Ａの中心部に突出形成したストツパー機能を有するメネジ部（メネジ柱）１５用の係止切欠４ｄを形成した点に特徴である、このように構成すると、鍵１Ａと合成樹脂製収納ケース１１Ａがより一層合体する。したがって、合成樹脂製収納ケース１１Ａに対する固着手段２６Ａの位置は、本発明の本質的事項ではない。
【００３９】
次に、図１２に示す第４実施形態に於いて、前記第２実施形態と主に異なる点は、鍵１Ｂの後端部４ａに形成した開口（係止孔）５Ｂである。例えば図９で示す仮想線の鍵１と図１２で示す実線の鍵１Ｂとを比較すると明らかなように、この第２実施形態の鍵１Ｂの係止孔５Ｂは、鍵１Ｂの長手方向と交差する水平方向がやや幅広の長孔状に形成されている。鍵１Ｂの係止孔５Ｂの形状は、図示しないキーホルダを引っ掛けるためのものであるから、任意に設計変更可能である。
【００４０】
最後に、図１３乃至図１５に示す第５実施形態に於いて、前記第１実施形態と主に異なる点は、（ａ）第３実施形態の特徴（固着手段２６Ａを合成樹脂製収納ケース１１Ａの中心部に設けた点）を加味しつつ、（ｂ）電子部品２１が、鍵１Ｃの持ち手部分４Ｃの一側表面に乗っかるように、換言すれば、鍵１Ｃの一側表面に支持された状態で添設する電子部品２１が、合成樹脂製収納ケース１１Ｃの偏芯位置に内装されていることである。この第５実施形態では、一側面側ケース１２Ｃ側ではなく、他側面側ケース１３Ｃの内壁面の偏芯位置に、第１実施形態と同様の窪み状の小凹所１８が形成されている。もちろん、前記小凹所１８は第２実施形態の囲い枠１９に形成された小凹所１８であっても良い。
【産業上の利用可能性】
【００４１】
本発明は、錠前を備えた建具、自動車の分野で利用される。
【符号の説明】
【００４２】
Ｘ…携帯型キー装置、１、１Ａ、１Ｂ、１Ｃ…金属製鍵、２…差込部分、３…幅広部分、４、４Ｂ、４Ｃ…持ち手部分、４ａ…持ち手部分の後端部、４ｂ…内側弧状面、４ｄ…係止切欠４ｄ、５、５Ｂ…開口（係止孔）、６…括れ部分、１１、１１Ａ、１１Ｃ…合成樹脂製収納ケース、１２、１２Ａ、１２Ｃ…一側面側ケース、１３、１３Ａ、１３Ｃ…他側面側ケース、１２ａ、１３ａ…幅広平坦壁、１２ｂ、１３ｂ…突壁部分、１４…切欠、１５…メネジ部（メネジ柱）、２１…電子部品、１７…固着手段、１８…窪み、１９…囲い枠、２６Ａ…固着手段。
【図１】
0005862939.tif 000002
【図２】
0005862939.tif 000003
【図３】
0005862939.tif 000004
【図４】
0005862939.tif 000005
【図５】
0005862939.tif 000006
【図６】
0005862939.tif 000007
【図７】
0005862939.tif 000008
【図８】
0005862939.tif 000009
【図９】
0005862939.tif 000010
【図１０】
0005862939.tif 000011
【図１１】
0005862939.tif 000012
【図１２】
0005862939.tif 000013
【図１３】
0005862939.tif 000014
【図１４】
0005862939.tif 000015
【図１５】
0005862939.tif 000016